(57)【要約】【課題】音声入力、出力などのジャック端子をディジタルカメラの接続端子、ＵＳＢケーブル等のデータ通信ケーブルの入力端子等に流用することにより専用端子を設ける必要がない。【解決手段】イヤホンマイク端子１１を備える携帯電話機１３に接続する携帯情報端末用ディジタルカメラにおいて、イヤホンマイク端子１１に着脱可能なプラグ１０を有するディジタルカメラ１と、音声回路と画像回路との切り替えを行う切替部とを有し、イヤホンマイク端子１１にプラグ１０が差し込まれて電気的に接続された場合に、ディジタルカメラ１が、画像信号をプラグ１０とイヤホンマイク端子１１とを介して携帯電話機に送信するようにした。【選択図】図３
2010136388.tif 000002
【特許請求の範囲】
【請求項１】
ジャック端子を備える携帯情報端末に接続する携帯情報端末用ディジタルカメラにおいて、
前記ジャック端子に着脱可能なプラグを有するディジタルカメラ本体と、
音声回路と画像回路との切り替えを行う切替部とを有し、
前記ジャック端子に前記プラグが差し込まれて電気的に接続された場合に、前記ディジタルカメラ本体が、画像信号を前記プラグと前記ジャック端子とを介して前記携帯情報端末に送信することを特徴とする携帯情報端末用ディジタルカメラ。
【請求項２】
ジャック端子を備える携帯情報端末に接続する携帯情報端末用ディジタルカメラにおいて、
前記ジャック端子に着脱可能なプラグを有するディジタルカメラ本体と、
前記プラグの周辺に設けられた突堤部とを有し、
前記ジャック端子に前記プラグが差し込まれた場合に、前記突堤部が前記ジャック端子の周辺部に突き当たり、前記ディジタルカメラ本体が回転させられたときに、前記周辺部に対して前記突堤部の面が滑動するように構成したことを特徴とする携帯情報端末用ディジタルカメラ。
【請求項３】
前記プラグは、電圧部、グランド部、クロックライン部、及びデータライン部を有することを特徴とする請求項１又は請求項２に記載の携帯情報端末用ディジタルカメラ。
【請求項４】
前記プラグの各部は、前記ディジタルカメラ本体側の基部から前記電圧部、前記グランド部、前記クロックライン部及び前記データライン部の順に配列されたことを特徴とする請求項３に記載の携帯情報端末用ディジタルカメラ。
【請求項５】
前記プラグの前記グランド部と前記クロックライン部との間は絶縁されていることを特徴とする請求項３又は請求項４に記載の携帯情報端末用ディジタルカメラ。
【請求項６】
前記プラグの軸方向断面を円形にしたことを特徴とする請求項１〜請求項５のいずれかの項に記載の携帯情報端末用ディジタルカメラ。
【請求項７】
挿通部を有することを特徴とする請求項１〜請求項６のいずれかの項に記載の携帯情報端末用ディジタルカメラ。
【請求項８】
前記プラグを連動可能に支持する移動部材と、
前記移動部材を前記プラグの軸線に沿って移動自在に、且つ前記プラグを前記ディジタルカメラ本体に収納可能に支持するガイド部と、
を具備することを特徴とする請求項１〜請求項７のいずれかの項に記載の携帯情報端末用ディジタルカメラ。
【請求項９】
前記ディジタルカメラ本体が有するレンズを保護するためのレンズカバーを前記移動部材と連動可能に備えることを特徴とする請求項８に記載の携帯情報端末用ディジタルカメラ。
【請求項１０】
電圧部、グランド部、クロックライン部、及びデータライン部の接点を有するジャック端子と、
前記ジャック端子の接点間の抵抗値を検出する検出手段と、
前記検出した抵抗値に基づいて前記ジャック端子に接続された外部機器を判別する判別手段と、
を有する携帯情報端末と、
前記ジャック端子に着脱可能なプラグを有するディジタルカメラ本体を有し、前記ジャック端子に前記プラグが差し込まれた場合に、前記プラグの軸を支点に前記ディジタルカメラ本体を回転可能に構成した携帯情報端末用ディジタルカメラと、
を含むディジタルカメラシステム。
【発明の詳細な説明】
【技術分野】
【０００１】
本発明は、音声入出力等のイヤホンマイク端子を有する携帯電話機，ＰＨＳ（Personal Handyphone System），ＰＤＡ（Personal Digital Assistants）等の携帯情報端末、これらの携帯情報端末に接続する携帯情報端末用ディジタルカメラ並びに携帯情報端末接続ディジタルカメラ装置に関する。
【背景技術】
【０００２】
近年、携帯情報端末のデータ通信の高速化等に伴い、ディジタルカメラで撮像した映像を携帯電話機を介して送信したいというニーズを実現する商品が著しく増加している。
また、一方では、携帯情報端末の音声再生能力が著しく向上したことによりディジタル音声再生機器としての期待も高まっている。そして、街頭には音声データを販売する情報販売機等がおかれ、この情報販売機と携帯通信端末とを所定のケーブルで接続することにより、有線によって音楽データを取り込むというサービスも展開されている。
また、情報の送信手段として携帯電話機やＰＨＳを利用したモバイルコンピューティングも需要が拡大している。
【先行技術文献】
【特許文献】
【０００３】
【特許文献１】特開平１０−２３９０５５号公報
【特許文献２】特開平９−８３６６２号公報
【発明の概要】
【発明が解決しようとする課題】
【０００４】
しかしながら、上述したように、ディジタルカメラと携帯電話などの情報端末の間で画像データを送受する場合、従来はケーブルで接続される構造のものが多く、取扱いや携帯性に問題がある。また、情報端末に設けられている専用角形コネクタを利用する場合は、撮影方向を自在にするため、ディジタルカメラ側をフレキシブルに向きが変わる構造にする必要があり、構成が複雑で高価になる。そして、ディジタルカメラと携帯電話との接続中は、専用の外部接続端子を専有するため、ＰＣなどの他の端末装置への利用は不可能になる。
【０００５】
さらに、従来のディジタルカメラは、ディジタルカメラ自体と携帯電話、ＰＨＳ、ＰＤＡ、モバイルパーソナルコンピュータ等の各種の携帯情報端末との汎用的な接続を予想しているため、液晶モニタなどの表示部や操作部が携帯情報端末にあるにもかかわらず、ディジタルカメラ側にも備えることが多く、取扱い操作が複雑で、システム的にも高価となる。
また、接続した機器から給電することができないため、ディジタルカメラ本体に電池が必要となる。これにより、筐体が大きくなり、重量も増えるため携帯に適しないという問題があった。
【０００６】
一方、街頭に設置されている情報販売端末等から所定のケーブルを介して情報を携帯情報端末に取り込む場合においては、通常、携帯情報端末に接続するコネクタには表裏があるため、利用者は、コネクタの挿入の際にコネクタの表裏を確認しながら挿入しなければならず、接続が不便であるといった問題があった。
また、携帯情報端末にコネクタが差し込まれた際に、コネクタがロックされるような構造となっているが、利用者がロックされていることを知らずに無理にコネクタを取り外すことにより、コネクタが劣化してしまうといった問題も生じている。
【０００７】
また、モバイルコンピューティングを行う場合には、通常ＰＣカードが必要となるため、外出先でパーソナルコンピュータを使用する際には、必ずＰＣカードを携帯しなければならず、持ち運びに不便であった。
また、ＰＣカードを挿入するＰＣＭＩＡスロットはパーソナルコンピュータに１つしか設けられていないものがあり、このスロットを携帯電話機で占有してしまうと、他の機器との通信が不可能になってしまう等の不便が生じた。また、モバイルコンピューティングを行った後に、周辺機器を使用したい場合には、ＰＣＭＩＡスロットに挿入したＰＣカードを交換しなければならず、取扱に手間がかかるといった問題があった。
【０００８】
本発明の目的は、音声入力、出力などのジャック端子を持つ携帯情報端末に接続され、ディジタルカメラ本体の構造を複雑にすることなく撮影方向を自在に変えることができる使い勝手の良好な携帯情報端末用ディジタルカメラ及びディジタルカメラシステムを提供することを目的とする。
【課題を解決するための手段】
【０００９】
前記目的を達成するために本発明による携帯情報端末用ディジタルカメラは、ジャック端子を備える携帯情報端末に接続する携帯情報端末用ディジタルカメラにおいて、前記ジャック端子に着脱可能なプラグを有するディジタルカメラ本体と、音声回路と画像回路との切り替えを行う切替部とを有し、前記ジャック端子に前記プラグが差し込まれて電気的に接続された場合に、前記ディジタルカメラ本体が、画像信号を前記プラグと前記ジャック端子とを介して前記携帯情報端末に送信するように構成されている。
このような携帯情報端末用ディジタルカメラによれば、ディジタルカメラ本体のプラグ端子を携帯情報端末のジャック端子に直接挿入して接続すれば、両者は機械的及び電気的に接続されて一体化する。このため、従来必要だった接続用のケーブルが不要となり、また、ディジタルカメラ本体が携帯情報端末と一体化されるため片手での撮影が可能になる。また、これにより、ディジタルカメラ本体を接続するだけで撮影を開始できる。
【００１０】
さらに本発明による携帯情報端末用ディジタルカメラは、ジャック端子を備える携帯情報端末に接続する携帯情報端末用ディジタルカメラにおいて、前記ジャック端子に着脱可能なプラグを有するディジタルカメラ本体と、前記プラグの周辺に設けられた突堤部とを有し、前記ジャック端子に前記プラグが差し込まれた場合に、前記突堤部が前記ジャック端子の周辺部に突き当たり、前記ディジタルカメラ本体が回転させられたときに、前記周辺部に対して前記突堤部の面が滑動するように構成されている。
これにより携帯情報端末に対しディジタルカメラ本体を容易に滑動させて回転させることができる。この場合、好適には前記突堤部を凸曲面に形成するとよい。
【００１１】
また上記構成において、前記プラグは、電圧部、グランド部、クロックライン部、及びデータライン部を有するように構成されている。
これにより、携帯情報端末から電源の供給を受けて撮影し、撮影した映像を携帯情報端末に送ることができる。
【００１２】
また上記構成において、前記プラグの各部は、前記ディジタルカメラ本体側の基部から前記電圧部、前記グランド部、前記クロックライン部及び前記データライン部の順に配列されるように構成されている。
これにより、接触面積の大きいケース部を電圧部とすることにより補充回転させた場合においても接触不良の問題を回避できる。また、半挿入状態においても近接端にないため電源短絡を回避できる。イヤホンマイクの場合においても基部から２番目はグランド部であることにより端末側のトラブルを防げる。
【００１３】
また上記構成において、前記プラグの前記グランド部と前記クロックライン部との間は絶縁されるように構成されている。このように構成することにより、上記端子間の抵抗値を検出することによって、本携帯情報端末用ディジタルカメラが接続されていることを接続先の携帯情報端末に認識させることが可能となる。
【００１４】
また上記構成において、前記プラグの軸方向断面を円形にすることにより、プラグ端子の接続角度を３６０度から任意に選択でき、しかも、接続状態でプラグ端子の軸を中心に回転させて角度調整することもできる。
【００１５】
また上記構成において、挿通部を有するので、紐状のものを貫通させることができ持ち運びを容易にすることができる。
【００１６】
また上記構成において、前記プラグを連動可能に支持する移動部材と、前記移動部材を前記プラグの軸線に沿って移動自在に、且つ前記プラグを前記ディジタルカメラ本体に収納可能に支持するガイド部とを有するので、プラグ端子を本体に収納することができる。
【００１７】
また上記構成において、前記ディジタルカメラ本体が有するレンズを保護するためのレンズカバーを前記移動部材と連動可能に備えることにより、レンズにカバーを被せることができ、埃や衝撃等からレンズを保護することができる。
【００１８】
前記目的を達成するために本発明によるディジタルカメラシステムは、電圧部、グランド部、クロックライン部、及びデータライン部の接点を有するジャック端子と、前記ジャック端子の接点間の抵抗値を検出する検出手段と、前記検出した抵抗値に基づいて前記ジャック端子に接続された外部機器を判別する判別手段と、を有する携帯情報端末と、前記ジャック端子に着脱可能なプラグを有するディジタルカメラ本体を有し、前記ジャック端子に前記プラグが差し込まれた場合に、前記プラグの軸を支点に前記ディジタルカメラ本体を回転可能に構成した携帯情報端末用ディジタルカメラと、を含む。
【００１９】
なお、上記構成からなる携帯情報端末用ディジタルカメラにおいて、前記プラグに電気的に接続可能な第１の端子と、前記携帯情報端末に前記プラグ端子から送出された情報を伝達可能な第２の端子とを有するケーブルを介して携帯情報端末とプラグ端子とを接続することにより、上下だけではなく左右にもカメラを移動させることが可能となる。これにより、より広範囲にわたる撮影が可能となる。
【発明の効果】
【００２０】
また、本発明は、ジャック端子を備える携帯情報端末に接続する携帯情報端末用ディジタルカメラにおいて、前記ジャック端子に着脱可能なプラグを有するディジタルカメラ本体と、音声回路と画像回路との切り替えを行う切替部とを有し、前記ジャック端子に前記プラグが差し込まれて電気的に接続された場合に、前記ディジタルカメラ本体が、画像信号を前記プラグと前記ジャック端子とを介して前記携帯情報端末に送信するように構成されている。本発明によれば、携帯情報端末に本発明による携帯情報端末用ディジタルカメラを接続したとき、撮影方向を自在に調整できるため、使い勝手の良好なディジタルカメラを実現できる。
更に、予め携帯情報端末に設けられているジャック端子を流用して接続できるため、接続端子を別途も受ける必要が無くなり、商品を安価に提供できるという効果が得られる。
また、ディジタルカメラ本体が携帯情報端末と一体化されるため片手での撮影が可能になり利便性が向上するという効果が得られる。
また、煩雑であった初期設定などの操作が不要となる。この結果、携帯情報端末用ディジタルカメラを接続するだけで直ちに撮影を開始することができるという効果が得られる。
【００２１】
また、本発明は、ジャック端子を備える携帯情報端末に接続する携帯情報端末用ディジタルカメラにおいて、前記ジャック端子に着脱可能なプラグを有するディジタルカメラ本体と、前記プラグの周辺に設けられた突堤部とを有し、前記ジャック端子に前記プラグが差し込まれた場合に、前記突堤部が前記ジャック端子の周辺部に突き当たり、前記ディジタルカメラ本体が回転させられたときに、前記周辺部に対して前記突堤部の面が滑動させるように構成されているため、携帯情報端末に対しディジタルカメラを容易に滑動させて回転させることができるという効果が得られる。
【００２２】
また、プラグ端子は、電圧部、グランド部、クロックライン部、及びデータライン部を有するように構成されているため、携帯情報端末から電源の供給を受けて撮影し、撮影した映像を携帯情報端末に送ることができる。この結果、ディジタルカメラ本体には電源を供給する装置が不要となるため、コストの削減及び重量の軽減、小型化を図ることができるという効果が得られる。
【００２３】
また、プラグ端子の各部は、前記ディジタルカメラ本体側の基部から前記電圧部、前記グランド部、前記クロックライン部及び前記データライン部の順に配列されるように構成されているため、接触面積の大きいケース部を電圧部とすることにより補充回転させた場合においても接触不良の問題を回避できるという効果が得られる。また、半挿入状態においても近接端にないため電源短絡を回避できるという効果を奏する。更に、イヤホンマイクの場合においても基部から２番目はグランド部であることにより端末側のトラブルを防ぐことができるという効果が得られる。
【００２４】
また、プラグ端子の前記グランド部と前記クロックライン部との間は絶縁されるように構成されている。このように構成することにより、上記端子間の抵抗値を検出することによって、本携帯情報端末用ディジタルカメラが接続されていることを接続先の携帯情報端末に認識させることが可能となる。この結果、他のプラグが接続された場合と、本携帯情報端末用ディジタルカメラが接続された場合とを簡単な回路構成により容易に携帯情報端末に認識させることができるため、コスト削減及び小型化などを図ることができるという効果が得られる。
【００２５】
また、プラグ端子の軸方向断面を円形にすることにより、プラグ端子の接続角度を３６０度から任意に選択でき、しかも、接続状態でプラグ端子の軸を中心に回転させて角度調整することもできるという効果が得られる。
【００２６】
また、挿通部を有するので、紐状のものを携帯情報端末に予め備えられているストラップ穴とこの挿通部を通した後、紐の両端を結合することにより、ディジタルカメラと携帯情報端末とを一体化し、持ち運びに好適とすることができるという効果が得られる。
【００２７】
また、前記プラグを連動可能に支持する移動部材と、前記移動部材を前記プラグの軸線に沿って移動自在に、且つ前記プラグを前記ディジタルカメラ本体に収納可能に支持するガイド部とを有するので、プラグ端子を本体に収納することができ、携帯に好適となるという効果が得られる。
【００２８】
また、前記ディジタルカメラ本体が有するレンズを保護するためのレンズカバーを前記移動部材と連動可能に備えることにより、プラグ端子をディジタルカメラ本体に収納できるとともにレンズにもカバーを被せることができ、埃や衝撃等からレンズを保護することができるという効果が得られる。
【図面の簡単な説明】
【００２９】
【図１】本発明による携帯情報端末用ディジタルカメラの実施の形態を示す図で、（ａ）は正面図、（ｂ）は側面図、（ｃ）は底面図、（ｄ）は斜視図である。
【図２】本発明による携帯情報端末用ディジタルカメラの分解斜視図である。
【図３】携帯情報端末用ディジタルカメラの接続状態を説明するための図である。
【図４】携帯情報端末にディジタルカメラを接続した状態の回路構成を示すブロック図である。
【図５】撮影から画像情報を送信するまでの動作を説明するためのフローチャートである。
【図６】ディジタルカメラの使用形態を説明するための図である。
【図７】イヤホンマイクのプラグ端子の一例である。
【図８】ステレオヘッドホンのプラグ端子の一例である。
【図９】携帯情報端末とディジタルカメラとを専用延長ケーブルを使用して接続した場合の外観図である。
【図１０】専用延長ケーブルを携帯情報端末とディジタルカメラとを繋ぐストラップとして利用した一例である。
【図１１】プラグを収納可能とするためのつまみとガイドを有するディジタルカメラの外観図である。
【図１２】本発明の第２の実施形態において使用されるＵＳＢケーブル１００の構成図である。
【図１３】本発明の第２の実施形態に係る携帯情報端末の回路構成を示すブロック図である。
【図１４】本発明の第３の実施形態に係る携帯情報端末の回路構成を示すブロック図である。
【発明を実施するための形態】
【００３０】
以下、図面を参照して本発明の実施の形態を詳しく説明する。
図１は、本発明の第１の実施形態における携帯情報端末用ディジタルカメラ（以下、単にディジタルカメラと略称する）の実施の形態を示す図で、（ａ）は正面図、（ｂ）は側面図、（ｃ）は底面図、（ｄ）は斜視図である。
図２は、本実施形態によるディジタルカメラの分解斜視図である。上カバー２、赤外線カットフィルタ３、カメラのレンズ系を構成する鏡筒４、鏡筒４の固定および撮像素子への光軸外の光を遮断するホルダ５、有害反射光を取り除く反射防止フィルム６、撮像素子および画像データを処理するＣＭＯＳ−ＩＣ７、ＩＣ７や他の電子部品を搭載する基板８および下カバー９より構成されている。
上カバー２と下カバー９の下面には半月状の切欠部２ａ、９ａが設けられている。それぞれの切欠部２ａ、９ａの背後にはさらに切欠を有する支持板２ｂ、９ｂが設けられている。なお、ＣＭＯＳ−ＩＣ７は、ＣＣＤ−ＩＣでもよい。
【００３１】
フラグ１０の基部１０ａの下部を下カバー９の９ａと９ｂの間に差し入れ、上記各部２〜８を組み込み、上カバー２を被せ２ａと２ｂの間に基部１０ａの上部を差し込むことによりプラグ１０はディジタルカメラ本体に取り付けられる。プラグ１０は、基部１０ａ側から電圧部１１ａ、グランド部１１ｂ、クロックライン部１１ｃ、データライン部１１ｄの順に配列している。また、上カバー２と下カバー９の間は図示しないネジにより固定される。なお、ネジで固定しない構造でもよい。
レンズの光軸（鏡筒４の光軸）４ａに対し、プラグ１０の軸の中心１０ｂは直角方向の関係になるように構成される。突堤部１２はプラグ１０の周辺に下カバーおよび上カバーの一部として形成されている。
上カバー２のレンズ窓２ｃを通った被写体からの光は、赤外線カットフィルタ３を介して鏡筒４に入射し、ＣＭＯＳ−ＩＣ７の撮像素子に結像する。撮像素子に蓄積された画像信号は、電気信号に変換された後、ＣＭＯＳ−ＩＣ７で所定の処理がなされ、プラグ１０に送出される。なお、ここで画像信号はホワイトバランス等の補正などが為されてプラグ１０に送出されることとする。
【００３２】
図３は、携帯情報端末用ディジタルカメラの接続状態を説明するための図である。
携帯電話機１３の右側面１３ｃにイヤホンマイク端子１１が設置されている。
正面に液晶画面１３ａが、上面にアンテナ１３ｂが配置されている。
ディジタルカメラ１のプラグ１０を図３に示すような方向からイヤホンマイク端子１１に差し込むことによりディジタルカメラ１を携帯電話機１３に電気的に接続するとともに機械的に取付ける。
携帯電話機１３に対し、中心線１０ｂを軸にＡに示すように３６０度ディジタルカメラ１を回転させることができ、撮影方向を自由に選択することができる。
突堤部１２がイヤホンマイク端子１１の周辺側面に当接してこの部分が滑動する。イヤホンマイク端子１１の蓋を有するディジタルカメラでは、ディジタルカメラの突堤部１２の周辺部分１ａを携帯電話機１３の側面１３ｃより浮かせているため、ディジタルカメラ１を回転させたとき、ディジタルカメラ１本体のイヤホンマイク端子１１の蓋への干渉を防止できる。
【００３３】
次に、本発明の第１の実施形態に係る携帯情報端末と上述した第１の実施形態に係るディジタルカメラとを接続した場合について説明する。
図４に、本発明の第１の実施形態に係る携帯情報端末と上述したディジタルカメラ１とを接続した状態における内部回路構成を示す。なお、本実施形態では、携帯情報端末として、携帯電話機（ＰＨＳを含む）を例にとり説明する。
【００３４】
同図において、ディジタルカメラ１は、撮像部１４、ＡＤ変換部１５、信号処理部１６、バッファメモリ部１７およびＩ／Ｆ部１８より構成されている。ここで、バッファメモリ部１７は、画像１枚分のメモリ容量であり、メモリ部２０は半導体メモリやカードなどである。なお、上述のバッファメモリ部１７を設けずに、直接携帯電話機１３に出力することも可能である。
【００３５】
一方、携帯電話機１３は、イヤホンマイク端子１１を介して接続された外部機器とのデータの送受を行うインターフェース部（Ｉ／Ｆ部）１９、各種プログラム及び固定データが格納されているＲＯＭ、ＲＡＭ等から構成されるメモリ部２０、図示しないアンテナ、基地局を介して相手端末との間で音声信号等の送受信を行うＲＦ送受信部２１、主にデータ処理を行う信号処理部２２、テンキー等の各種キーを有する操作部２３、各種データを表示する液晶表示部２４、外部機器によってインターフェース部１９内部の切替を行う切替部２５、及びメモリ部２０に格納されているプログラムを実行することにより各部を統括的に制御するＣＰＵ２６より構成されている。
【００３６】
上記インターフェース部１９は、音声インターフェース（Ｉ／Ｆ）１９ａと、画像インターフェース（Ｉ／Ｆ）１９ｂを備えている。音声Ｉ／Ｆ１９ａは、外部機器としてイヤホンマイクやステレオヘッドホンが接続されたときに、これらの機器から入力されたアナログ信号の音声信号を当該携帯電話機内部で処理可能なディジタルデータに変換して信号処理部２２に出力したり、或いは、メモリ部２０又は信号処理部２２から出力される音声ディジタルデータをアナログ信号としてイヤホンマイク端子１１を介して外部機器へと出力する。
他方、画像インターフェース１９ｂは、外部機器としてイヤホンマイク端子１１にディジタルカメラ１が接続されたときに、ディジタルカメラ１と当該携帯電話機１３とで取り扱うデータの整合性をとる。即ち、イヤホンマイク端子１１から入力された画像データを当該携帯電話機内部で処理可能なデータに変換して信号処理部２２に出力したり、信号処理部２２から出力されるディジタルデータをディジタルカメラ１で処理可能なデータに変換してイヤホンマイク端子１１を介してディジタルカメラ１へと出力する。
【００３７】
上記信号処理部２２は、音声データや画像データ等のディジタル化されたデータを高速に処理することに特化した回路であり、例えば、ＤＳＰ（Digital Signal Processor）等が挙げられる。
液晶表示部２４は、携帯電話機における電話機能としての各種設定情報及び各種メニュー情報の他、イヤホンマイク端子１１を介して外部機器が接続された場合には、外部機器（イヤホンマイクや、ステレオヘッドホンを含む）とのデータ通信に関する種々の情報等が表示されるようになっている。
また、メモリ部を構成する図示しないＲＯＭには、電話機能を実行するための各種プログラムや、制御プログラム、各種の固定データが格納されておりＣＰＵ２６はこれら各種プログラムを実行することにより携帯電話機１３内の各部の制御を行う。また、図示しないＲＡＭには、信号処理部２２により処理されたデータ、ＣＰＵ２６により処理されたデータ、外部より入力される各種データ等が一時的に格納される。
切替部２５は、イヤホンマイク端子１１に外部機器が接続されるとその接続された機器を判別し、その機器に応じて、イヤホンマイク端子１１の接続先インターフェースを切り替える。
【００３８】
具体的には、切替部２５は、イヤホンマイク端子１１にいずれかのプラグが接続されたことを検知すると、接続されたプラグの先端から２接点目と３接点目間の抵抗値を検出し、この検出した値から接続された機器を判別する。
以下、携帯情報端末のイヤホンマイク端子１１に、ディジタルカメラ１、イヤホンマイク、ステレオヘッドホンがそれぞれ接続された場合を例に挙げ、切替部２５によるこれら外部接続機器の判別について具体的に説明する。
【００３９】
図７にイヤホンマイクのプラグ端子の一例、図８にステレオヘッドホンのプラグ端子の一例を示す。図７に示したイヤホンマイクのプラグは、電圧部７１、グランド部７２、イヤホン端子部７３、マイク端子部７４の４接点を有し、この４接点の内、グランド部７２−イヤホン端子部７３間の抵抗値とグランド部７２−マイク端子部７４間の抵抗値は異なる。これに対し、図８に示したステレオヘッドホンのプラグは、空き端子８１、グランド部８２、ステレオ（Ｌ）端子部８３、ステレオ（Ｒ）端子部８４の４接点を有し、この４接点の内、グランド部８２−ステレオ（Ｌ）端子部８３間の抵抗値とグランド部８２−ステレオ（Ｒ）端子部８４間の抵抗値は略等しくなっている。なお、イヤホンマイクのプラグ及びステレオヘッドホンのプラグにおいて、上述した端子間は絶縁されていない。
【００４０】
また、図２に示したディジタルカメラ１のプラグ１０は、グランド部１１ｂ−クロックライン部１１ｃ間が絶縁されているため、当該端子間の抵抗値は無限大となる。
従って、切替部２５は、プラグの先端部から２接点目−３接点目間の抵抗値を検出し、この値が無限大であった場合には、ディジタルカメラ１が接続されたと判断し、無限大でなかった場合には、イヤホンマイク或いはステレオヘッドホンが接続されたと判断して、更に前述した２端子間の抵抗を測定し、比較する。この結果、測定した抵抗値が略同等であった場合には、接続された機器はステレオヘッドホンであると判断し、また測定した抵抗値が異なれば接続された機器はイヤホンマイクであると判断する。
【００４１】
上述したように、切替部２５は接続された機器がディジタルカメラ１であると判断すると、Ｉ／Ｆ部１９において画像データに対応する画像インターフェース１９ｂを選択し、この画像インターフェース１９ｂを介して、ディジタルカメラ１と携帯電話機１３とのデータ通信が行われるようにする。また、画像インターフェース１９ｂが選択されると、携帯電話機１３に設けられている操作部２３の操作ボタン（図示略）等はディジタルカメラ１の操作ボタンとして予め設定された機能を発揮する。なお、画像データの送受はシリアル通信で行われる。
なお、上述の切替部２５は、ディジタルカメラ１の接続を検出して自動的に画像インターフェースを選択する他、撮影者が操作部２３から所定の操作（例えば、モード切替等）を行うことにより、外部機器がディジタルカメラ１であることを認識させるようにすることも可能である。また、本実施形態において、切替部２５はディジタルカメラ１側に設けても良い。
【００４２】
図５は、撮影準備から画像情報を伝送するまでの動作を説明するためのフローチャートである。
図５（ａ）において、携帯電話機１３（情報端末）が通常の動作可能状態になっている（Ｓ５０１）。この状態で携帯電話機１３にディジタルカメラ１のプラグ１０をイヤホンマイク端子１１に差し込み一体に結合する（Ｓ５０２）。そして現在の状態をカメラモードに設定する（Ｓ５０３）。携帯電話機のＣＰＵ２６は、電話動作になっているか判断し、電話動作になっている場合にはＳ５０１に戻る（Ｓ５０４）。電話動作ではない場合は、つぎにディジタルカメラ１が用意されているか判断する（Ｓ５０５）。用意されていなければＳ５０４に戻る。ディジタルカメラ１の画像取込みの準備ができている場合は画像データを読み込む（５０６）。
【００４３】
一方、図５（ｂ）において、ディジタルカメラ１は携帯電話機に結合されると、イニシャル処理が行われ（Ｓ５１２）、撮像画像の処理を行い画像データをプラグ１０を介して携帯電話機１３側に出力する（Ｓ５１３、Ｓ５１４）。そして、カメラモードがオフになったか否かを判断し（Ｓ５１５）、オフになった場合には終了する。図５（ａ）のＳ５０７において、ディジタルカメラ１から出力された画像は、液晶表示部２４の液晶画面に表示される。つぎに撮影者がその画像を記録する操作をしたか否かを判定し（Ｓ５０８）、記録操作をした場合には撮像画像データをディジタルカメラ１からプラグ１０、イヤホンマイク端子１１、Ｉ／Ｆ部１９を介して携帯電話機１３に伝送し（Ｓ５０９）、メモリ部２０のＲＡＭに記録する（Ｓ５１０）。そして記録した画像データを送信する操作がなされているか否か判断し（Ｓ５１１）、送信する操作がなされている場合にはＳ５０４の電話動作に入り、送信を行う。送信する操作がなされていない場合にはＳ５０１の通常の端末動作に戻る。
【００４４】
次に、図６に上述した携帯電話機１３にディジタルカメラ１を装着して使用する一形態を示す。図６（ａ）は、ディジタルカメラ１を１８０度回転させて被写体に向け携帯電話機１３の液晶画面に表示させている状態を示している。
図６（ｂ）は、撮影者にディジタルカメラ１を向け撮影者自身を液晶画面に表示させている状態を示している。
プラグを軸にディジタルカメラを回転させることができるので、撮影方向を簡単に変えることができる。
【００４５】
また、一端にイヤホンマイク端子１１’を、他端にプラグ１０’を有する専用延長ケーブル５０を使用し、図９に示すようにディジタルカメラ１のプラグ１０を専用延長ケーブル５０のイヤホンマイク端子１１’に接続し、また専用延長ケーブル５０のプラグ１０’を携帯情報端末のイヤホンマイク端子１１に挿入することにより、ディジタルカメラ１を自在に操ることが可能となる。また、ディジタルカメラ１にホルダー３１を設け、図１０に示すように、専用延長ケーブル５０を携帯情報端末に予め備えられているストラップ穴４０とディジタルカメラ１のホルダー３１とに通し、専用延長ケーブル５０のプラグ１０’をイヤホンマイク端子１１’に挿入することにより、ディジタルカメラ１を携帯情報端末に付加させ、持ち運びを容易にすることが可能となる。なお、このホルダー３１は紐状のものが相通できる形状であれば良く、この形状、設置位置ともに限定するものではない。
【００４６】
また、以上の実施の形態において、図１１に示すように、プラグ１０と連結したつまみ３２と、つまみ３２を移動自在に支持するガイド３３をプラグ１０の中心軸１０ｂに沿って設けることにより、つまみ３２をスライドさせることによって、プラグ１０をディジタルカメラ本体に収納可能とする。更に、レンズ窓２ｃを保護するレンズカバーを設け、このレンズカバーをつまみ３２と連動させることにより、レンズカバーの着脱を可能としてもよい。これにより、つまみ３２を所定の方向にスライドさせることにより、プラグ１０をディジタルカメラ１本体に収納させるとともに、レンズ窓２ｃにカバーを被せることができる。
また、ディジタルカメラ１が上下反転したことを検知して、映像信号を上下反転させるセンサをディジタルカメラあるいは携帯情報端末に設けることも可能である。
また、携帯情報電話機は、基地局位置情報を受信して、撮影した映像データにこの位置情報を付加するようにしても良い。これにより、撮影された画像は後で場所の確認ができる。
【００４７】
次に、本発明の第２の実施形態に係る携帯情報端末について説明する。
上述した第１の実施形態では、イヤホンマイク端子１１に、ディジタルカメラ１のプラグ１０が接続される場合について述べたが、本実施形態では、イヤホンマイク端子１１にパーソナルコンピュータ等との高速データ通信を可能とするＵＳＢケーブルのコネクタが接続される場合について説明する。
【００４８】
まず、図１２に本実施形態において使用されるＵＳＢケーブル１００を示す。
同図に示すように、ＵＳＢケーブル１００の一のコネクタ１０１は、イヤホンマイク端子１１に接続可能な形状となっている。このコネクタ１０１は４ピンからなり、プラグの先端から第１のデータ送受信部１７４、第２のデータ送受信部１７３、グランド部１７２、電圧部１７１の順に配列している。そして、このコネクタを、携帯電話機１３の右側面１３ｃ（図３参照）に設置されているイヤホンマイク端子１１に図３に示すような方向から差し込むことによりＵＳＢケーブルを携帯電話機１３に電気的に接続するとともに機械的に取付ける。
また、コネクタ１０１の軸方向断面を円形にすることにより、携帯電話機１３に対し、中心線１０１ｂを軸にコネクタ１０１を３６０度回転させることができる。
なお、このＵＳＢケーブル１００のもう一方のコネクタ１０２は上流の機器、例えばパーソナルコンピュータが接続され、これらの外部機器と当該携帯情報端末とが通信する種々のデータとしては、音声データ、画像データ、文書データ等が挙げられる。
また、上記コネクタ１０１を構成する接点のうち、グランド部１７２と電源部１７３は、電源供給を外部機器から行わないとすれば空き端子となる。
【００４９】
次に、図１３に本実施形態に係る携帯情報端末の内部回路構成を示す。なお、本実施形態においても、第１の実施形態と同様に、携帯情報端末として携帯電話機（ＰＨＳを含む）を例にとり説明する。
同図に示すように、本実施形態に係る携帯電話機１１３は、図４に示した第１の実施形態に係る携帯電話機１３とほぼ構成を同じくするが、インターフェース部１１９の内部構成が異なる。
即ち、本実施形態では、イヤホンマイク端子１１にはＵＳＢケーブル１００のコネクタ１０１が接続されるため、ＵＳＢケーブル１００から出力されるデータと当該携帯電話機で取り扱うデータとを整合させるインターフェースが必要となる。従って、本実施形態では、第１の実施形態における画像インターフェース１９ｂに代わって、ＵＳＢケーブル１００から出力されるデータと携帯電話機１３内で処理するデータとを変換するＵＳＢインターフェース１９ｃがインターフェース部１１９に設けられている。そして、切替部１２５はイヤホンマイク端子１１にＵＳＢケーブル１００が接続された場合には、イヤホンマイク端子１１の接続先をＵＳＢインターフェース１９ｃとし、他方、イヤホンマイク、ステレオヘッドホンが接続された場合には、イヤホンマイク端子１１の接続先を音声インターフェース１９ａにする。
【００５０】
なお、切替部１２５は、利用者によって操作部１２３から所定の操作、例えばモード切替等が行われたことを検出することにより、外部機器（イヤホンマイク１１に接続されている機器、ここではＵＳＢケーブル１００）の判別を行う。また、ＵＳＢケーブル１００が接続されていることを通知する所定の信号がＵＳＢケーブル１００を通じて外部機器側から入力され、切替部１２５にこの所定の信号を識別する機能を更に備えることにより、自動的に外部機器の認識を行うようにしてもよい。このとき、所定の信号は、携帯電話機及び外部機器間で予め決められた信号であればよい。
【００５１】
次に、上述した携帯電話機１１３の動作について説明する。
まず、携帯電話機１１３が通常の動作可能状態になっている状態で、利用者が携帯電話機１１３にＵＳＢコネクタ１０１をイヤホンマイク端子１１に差し込み電気的及び機械的に接続し、続いて、現在の状態をＵＳＢモードに設定する。
【００５２】
係る操作により、携帯電話機１１３のＣＰＵ１２６にはモード設定がＵＳＢモードに切り替わった旨を通知する信号が入力される。ＣＰＵ１２６は、モード設定がＵＳＢモードに切り替わったことを認識すると、ＵＳＢケーブルがイヤホンマイク端子１１に接続されているかを判断する。この結果、接続されていれば、ＣＰＵ１２６はＵＳＢモード設定がなされた旨を通知する信号を切替部１２５に出力し、これにより切替部１２５はイヤホンマイク端子１１の接続先インターフェースをＵＳＢインターフェース１９ｃとする。そして、実際にデータ通信が開始されると、イヤホンマイク端子１１から入力されるデータは、ＵＳＢインターフェース１９ｃを介して信号処理部１２２へ出力され、信号処理部１２２は入力されたデータを処理し、必要に応じてデータをメモリ部１２０のＲＡＭに格納する。
【００５３】
一方、利用者によって所定のデータを送信するような指示が携帯電話機１１３の操作部１２３からなされた場合には、信号処理部１２２は指示されたデータをメモリ部１２０のＲＡＭ或いはＲＯＭから読み出し、読み出したデータをＵＳＢインターフェース１９ｃ、イヤホンマイク端子１１を介してＵＳＢケーブルに出力する。これにより、ＵＳＢケーブルを電送して、外部機器へ所定のデータを送信することが可能となる。
【００５４】
次に、本発明の第３の実施形態に係る携帯情報端末について説明する。本実施形態に係る携帯情報端末は、上述した第１の実施形態に係る携帯電話機１３及び第２の実施形態に係る携帯電話機１１３の機能を両方有する。即ち、イヤホンマイク端子１１に外部機器として、イヤホンマイク、ステレオヘッドホン、ディジタルカメラ１、ＵＳＢケーブルが接続可能な携帯情報端末である。
このため、本実施形態に係る携帯情報端末は、図１４に示すように、インターフェース部２１９に音声インターフェース１９ａ、画像インターフェース１９ｂ、ＵＳＢインターフェース１９ｃを備え、イヤホンマイク端子１１に接続される外部機器によって、これらのインターフェースを切り替える。
これにより、より利便性の高い携帯情報端末を提供することができる。
【００５５】
以上、この発明の実施形態を図面を参照して詳述してきたが、具体的な構成はこの実施形態に限られるものではなく、この発明の要旨を逸脱しない範囲の設計等も含まれる。
【符号の説明】
【００５６】
１…ディジタルカメラ、２…上カバー、３…赤外線カットフィルタ、４…鏡筒、５…ホルダ、６…反射防止フィルム、７…ＣＭＯＳ−ＩＣ、８…基板、９…下カバー、１０，１０’…プラグ、１１，１１’…イヤホンマイク端子、１１ａ…電圧部、１１ｂ…グランド部、１１ｃ…クロックライン部、１１ｄ…データライン部、１２…突堤部、１３，１１３，２１３…携帯電話機（携帯情報端末）、１４…撮像部、１５…ＡＤ変換部、１６，２２，１２２，２２２…信号処理部、１７…バッファメモリ部、１８，１９，１１９，２１９…Ｉ／Ｆ部、１９ａ…音声インターフェース（音声回路）、１９ｂ…画像インターフェース（画像回路）、１９ｃ…ＵＳＢインターフェース（データ処理回路）、２０，１２０，２２０…メモリ部、２１，１２１，２２１…ＲＦ送受信部、２３，１２３，２２３…操作部、２４，１２４，２２４…液晶表示部、２５，１２５，２２５…切替部（回路切替手段）、２６，１２６，２２６…ＣＰＵ（中央処理装置）、３１…ホルダー、３２…つまみ（移動部材）、３３…ガイド、４０…ストラップ穴、５０…専用延長ケーブル、１００…ＵＳＢケーブル、１０１…コネクタ、１７３，１７４…送受信データ部（送受信用接点）、１７２…グランド部（グランド用接点）、１７１…電源部（電源用接点）
【図１】
2010136388.tif 000003
【図２】
2010136388.tif 000004
【図３】
2010136388.tif 000005
【図４】
2010136388.tif 000006
【図５】
2010136388.tif 000007
【図６】
2010136388.tif 000008
【図７】
2010136388.tif 000009
【図８】
2010136388.tif 000010
【図９】
2010136388.tif 000011
【図１０】
2010136388.tif 000012
【図１１】
2010136388.tif 000013
【図１２】
2010136388.tif 000014
【図１３】
2010136388.tif 000015
【図１４】
2010136388.tif 000016